(57)【要約】【課題】シート状ＰＳ版の湾曲を確実に矯正し、湾曲性不良品の発生率を小さくする。【解決手段】ＰＳ版加工設備にオフラインの湾曲矯正装置３０を設ける。湾曲矯正装置３０に、搬送用駆動ロール３２と押し付けロール３３とを対向して接触回転するように設ける。搬送用駆動ロール３２と押し付けロール３３とにより、シート状ＰＳ版２３ｄを挟んで搬送し、シート状ＰＳ版２３ｄの湾曲を矯正する。搬送用駆動ロール３２の直径を１８０ｍｍとし、押し付けロール３３の直径を６０ｍｍとする。搬送用駆動ロール３２の周面のゴム硬度を２５°とし、押し付けロール３３の周面のゴム硬度を６５°とする。押し付けロール３３に押し付け量調節部３４を設けて、搬送用駆動ロール３２への押し付け量をシート状ＰＳ版２３ｄの湾曲度合いに応じて調節する。【選択図】                図２
2005015218.tif 000002
【特許請求の範囲】
【請求項１】
シート状ＰＳ版を搬送して湾曲を矯正するシート状ＰＳ版の湾曲矯正装置において、
前記シート状ＰＳ版を搬送するシート搬送用駆動ロールと、
このシート搬送用駆動ロールに押し付けられ、このシート搬送用駆動ロールとの間でシート状ＰＳ版を挟持する押し付けロールと、
前記押し付けロールのシート搬送用駆動ロールへの押し付け量を調節する押し付け量調節部とを有し、
前記押し付けロールよりもシート搬送用駆動ロールの直径を大きくするとともに、その直径比率をシート搬送用駆動ロールを基準にして３０〜７０％としたことを特徴とするシート状ＰＳ版の湾曲矯正装置。
【請求項２】
前記シート搬送用駆動ロールの表面硬度が、押し付けロールの表面硬度よりも低くされていることを特徴とする請求項１記載のシート状ＰＳ版の湾曲矯正装置。
【請求項３】
前記各ロールの周面がゴム材で形成されており、前記シート搬送用駆動ロールの表面ゴム硬度をＪＩＳ２０°〜３０°とし、前記押し付けロールの表面ゴム硬度をＪＩＳ６０〜７０°としたことを特徴とする請求項２記載のシート状ＰＳ版の湾曲矯正装置。
【請求項４】
前記押し付け量調節部は、押し付けロールの両端を個別に移動させることを特徴とする請求項１ないし３いずれか一つ記載のシート状ＰＳ版の湾曲矯正装置。
【請求項５】
前記シート搬送用駆動ロールと押し付けロールとの接触部の出口側及び入口側に、表面が低摩擦部材からなる搬送ガイド部材を有することを特徴とする請求項１ないし４いずれか一つ記載のシート状ＰＳ版の湾曲矯正装置。
【発明の詳細な説明】
【０００１】
【発明の属する技術分野】
本発明は、シート状の感光性印刷版（ＰＳ版）の湾曲矯正装置に関するものである。
【０００２】
【従来の技術】
ＰＳ版は、一般にロール状に巻き取られたアルミニウム製ウェブ（アルミウェブ）に、例えば、砂目立て、陽極酸化、シリケート処理、その他の化成処理等の表面処理を単独または適宜組み合わせて行い、次いで、感光液の塗布、乾燥処理を行った後に所望のサイズに切断されることで製造される。このＰＳ版は、画像露光、現像処理、ガム引きなどの製版処理が順に行われ、印刷機にセットされて画像が印刷される。
【０００３】
このようなＰＳ版は、例えば、特許文献１に示されるように、帯状のＰＳ版をスリッタ装置により長手方向に切断した後に、カッタ装置により幅方向に切断してシート状とし、予め定められた製品サイズに加工される。またＰＳ版には、感光性組成物が塗布された感光面を保護するためにスリッタ装置等による切断前に、感光面上へ保護紙（合紙ともいう）が密着するように被せられ、この保護紙と共に帯電装置により帯電されて保護紙が静電接着される。そして、製品サイズに切断されたＰＳ版は、ベルトコンベア等からなる搬送装置により、所定の搬送経路に沿って搬送され、ベルトコンベア上から積載部上へ送出されて積載されていく。
【０００４】
ＰＳ版に画像を形成させる際に、ＰＳ版にフイルム原稿を通して露光する。このときに、より鮮明な画像を作るために、ＰＳ版の感光層の表面と、重ねたフィルム原稿とを確実に位置合わせして露光することが必要である。しかし、ＰＳ版はコイル状に巻かれたアルミ材を、表面処理、感光層塗布、乾燥、裁断などの様々な工程をパスロールで搬送されてシート状に加工されるため、搬送方向と幅方向とに順または逆方向の様々な湾曲が残る。
【０００５】
このため、特許文献１〜３に示されるように、ＰＳ版を製造する設備に、オンラインでの湾曲矯正装置を設置して、搬送方向及び幅方向の湾曲を矯正し、露光時にＰＳ版とフィルム原稿とが正確に位置合わせできるようにしている。これらのオンライン湾曲矯正装置は、帯状のＰＳ版の搬送経路中に小径ロール（例えばφ６０程度）を適宜間隔で離して搬送経路の上下方向に交互に設け、これら小径ロールをＰＳ版に押し付けて、その押し付け量を調節することにより、連続走行中に湾曲を矯正している。
【０００６】
【特許文献１】
特開２００２−２２４７４８号公報（図２）
【特許文献２】
特開平６−５０７５１号公報（第５頁）
【特許文献３】
特開平９−１９４０９３号公報（第４頁、図２）
【０００７】
【発明が解決しようとする課題】
このようにオンライン湾曲矯正装置を経て生産されたＰＳ版でも、製造条件の変化、調節不良などにより、目標の平面性を確保することができない場合があり、この場合にはそれらは不良品となり、生産率が低下する。また、元来、矯正装置がない製造設備に新たなオンライン湾曲矯正装置を追加するには、設置場所の確保や、改造工事による設備コストの増大、改造工事に伴う可動停止による生産能力低下など色々な問題を解決しなければならない。さらには、ＰＳ版がロール状に巻き取られて供給される場合には、巻き芯近くになると、巻き径が小さくなるため、その分だけ強い巻き癖が残り、オンライン湾曲矯正装置では対処できないこともあり、不良品となることがあった。
【０００８】
本発明は上記課題を解決するためのものであり、生産性を低下させることなく、平面性不良に起因する不良品の発生を抑えることができるようにしたシート状ＰＳ版の湾曲矯正装置を提供することを目的とする。
【０００９】
【課題を解決するための手段】
上記目的を達成するために、本発明では、シート状ＰＳ版を搬送して湾曲を矯正するシート状ＰＳ版の湾曲矯正装置において、前記シート状ＰＳ版を搬送するシート搬送用駆動ロールと、このシート搬送用駆動ロールに押し付けられ、このシート搬送用駆動ロールとの間でシート状ＰＳ版を挟持する押し付けロールと、前記押し付けロールのシート搬送用駆動ロールへの押し付け量を調節する押し付け量調節部とを備えている。そして、前記押し付けロールよりもシート搬送用駆動ロールの直径を大きくするとともに、その直径比率をシート搬送用駆動ロールを基準にして３０〜７０％としている。
【００１０】
なお、前記シート搬送用駆動ロールの表面硬度が、押し付けロールの表面硬度よりも低くされていることが好ましい。また、前記各ロールの周面がゴム材で形成されており、前記シート搬送用駆動ロールの表面ゴム硬度をＪＩＳ２０°〜３０°とし、前記押し付けロールの表面ゴム硬度をＪＩＳ６０〜７０°とすることが好ましい。前記押し付け量調節部は、押し付けロールの両端を個別に移動させることが好ましい。また、前記シート搬送用駆動ロールと押し付けロールとの接触部の出口側及び入口側に表面が低摩擦部材からなる搬送ガイド部材を有することが好ましい。
【００１１】
【発明の実施の形態】
図１は本発明が実施されたＰＳ版加工設備の全体構成を示す概略図である。ＰＳ版加工設備１０は、ＰＳ版送り出し装置１１、接合装置１２、デカーラ（オンライン湾曲矯正装置）１３、合紙送り出し装置１４、合紙接着装置１５、スリッタ１６、カッタ１７、振り分け搬送装置１８、搬送装置１９，２０、積層装置２１、及び本発明のオフライン湾曲矯正装置３０を備えている。なお、図中の符号２２はパスロールを示している。
【００１２】
ＰＳ版送り出し装置１１には、図示しないＰＳ版製造設備でロール状に巻き取られたＰＳ版ロール２３がセットされ、このＰＳ版ロール２３からウェブ状のＰＳ版２３ａが送り出される。接合装置１２は、ＰＳ版送り出し装置１１から送り出されたＰＳ版２３ａの後端と、次のＰＳ版ロール２３の先端とを接合して、ウェブ状のＰＳ版２３ａを連続的に送り出す。
【００１３】
ＰＳ版送り出し装置１１から送り出されたウェブ状ＰＳ版２３ａはデカーラ１３によって巻き癖（カール）が取り除かれる。デカーラ１３は、４本のデカールロール２４をウェブ状ＰＳ版２３ａの送り方向に離して構成されている。各デカールロール２４はＰＳ版２３ａの上下方向で交互に配置されている。これら各デカールロール２４の間をＰＳ版２３ａが通過することにより、巻き癖が除去されて平面となるように矯正される。
【００１４】
また、合紙送り出し装置１４には合紙ロール２６がセットされている。この合紙ロール２６からはウェブ状の合紙２６ａが送り出され、接着装置１５に送られる。接着装置１５は帯電器２７を備えており、ウェブ状のＰＳ版２３ａと合紙２６ａとが重ね合わされた後に、接着装置１５で静電接着される。スリッタ１６では、スリッタ刃２８によって、ＰＳ版２３ａ及び合紙２６ａを所定の製品幅となるように裁断する。裁断されたＰＳ版２３ａ及び合紙２６ａは所定の製品長さとなるようにカッタ１７により切断され、シート状のＰＳ版（合紙２６ａを含む。以下、合紙２６ａを含む記載は省略する。）２３ｂとされる。
【００１５】
このシート状ＰＳ版２３ｂは、振り分け搬送装置１８の搬送ベルト１８ａにより搬送され、その際にカールが所定範囲内か否かがカール検出部１８ｂで検出される。検出されたカール量が所定値範囲内のときには湾曲性合格品（シート状ＰＳ版）２３ｃとして、分岐ガイド１８ｃ、搬送ベルト１９，２０を介して積層装置２１に搬送される。カール量の検出は、例えばシート状ＰＳ版２３ｂを水平方向から撮像し、その画像データから求められるが、他の各種方法によりカール量を検出してもよい。
【００１６】
積層装置２１では湾曲性合格品としてのシート状ＰＳ版２３ｃを重ねて集積する。この集積されたＰＳ版２３ｃは、その後、図示しない包装装置で包装され、必要に応じて段ボールなどの収納箱に収納される。
【００１７】
また、検出されたカール量が所定値範囲を超えるときは湾曲性不合格品２３ｄとされる。この湾曲性不合格品２３ｄは、振り分け搬送装置１８の分岐ガイド１８ｃが水平ガイド位置から斜めガイド位置に変位することにより、下方のストックヤード２９へ向けて送られる。ストックヤード２９には、カール量が所定値を超えた湾曲性不合格品としてのシート状ＰＳ版２３ｄが集積される。この集積されたシート状ＰＳ版２３ｄは、本発明のオフライン湾曲矯正装置３０にセットされて、そのカールが取り除かれる。
【００１８】
図２及び図３は本発明のオフライン湾曲矯正装置を示す側面図及び正面図である。オフライン湾曲矯正装置３０は、フレーム３１と、搬送用駆動ロール３２と、押し付けロール３３と、押し付け量調節部３４と、駆動部３５とを備えている。
【００１９】
フレーム３１には、搬送用駆動ロール３２と押し付けロール３３とが対向して接触し回転するように取り付けられている。搬送用駆動ロール３２はフレーム３１に水平に配置されており、駆動部３５により回転駆動される。駆動部３５は、スプロケット３６，３７、チェーン３８、テンション調節機構３９、駆動モータ４０、チェーンカバー４１などを備えており、駆動ロール３２を回転駆動する。
【００２０】
搬送用駆動ロール３２の直径は１００ｍｍ以上が好ましく、より好ましくは１８０ｍｍ程度である。また、押し付けロール３３の直径は１００ｍｍ未満が好ましく、より好ましくは６０ｍｍ程度である。なお、前記押し付けロール３３よりもシート搬送用駆動ロール３２の直径を大きくするとともに、その直径比率（Ｄｂ／Ｄａ、Ｄａ：シート搬送用駆動ロール３２の直径、Ｄｂ：押し付けロール３３の直径）を３０〜７０％とすることが好ましい。なお、直径比率が３０％未満であると、ロールが撓んで中央部に力がかからなくなり、７０％を超えると接触面積が広くなり、いずれの場合も矯正が不充分になる。
【００２１】
また、駆動ロール３２の周面のゴム硬度はＪＩＳ２０°〜３０°の範囲が好ましく、より好ましくは２５°である。押し付けロール３３の周面のゴム硬度はＪＩＳ６０〜７０°、より好ましくは６５°である。このように、駆動ロール３２の周面のゴム硬度が、押し付けロール３３の周面のそれよりも低くされることにより、効率よくＰＳ版のカールを除去をすることができる他に、ＰＳ版の感光層を傷付けることがなくなる。これら各ロール３２，３３の周面のゴム硬度を所定値にするために、各ロール３２，３３はゴムライニングされている。ゴム材としては、天然ゴム（ＮＲ）、クロロプレンゴム（ＣＲ）、エチレンプロピレンゴム（ＥＰＤＭ）、ニトリルゴム（ＮＢＲ）、ウレタンゴムなどが好ましく用いられる。また、ライニング厚みは各ロール径や各ロール径の比率などに応じて適宜選択されるが、５〜１５ｍｍの範囲が好ましい。なお、駆動ロール３２のゴム硬度が２０°未満であると搬送が安定しなくなり、３０°を超えると矯正不足となる。また、押し付けロール３３のゴム硬度が６０°未満であると矯正不足となり、７０°を超えると製品に傷が付いてしまう。
【００２２】
押し付けロール３３は、フレーム３１に押し付け量調節部３４を介して取り付けられている。押し付け量調節部３４は、１対の昇降ガイド４５と、これに保持される軸受け４６と、軸受け４６を昇降させるネジ棒４７と、ネジ棒４７を保持する雌ネジ部４８と、ハンドル４９とから構成されており、ハンドル４９を個別に回動することにより、軸受け４６を昇降させて、押し付けロール３３の搬送用駆動ロール３２への押し付け量を左右で変化させて、矯正が必要なＰＳ版２３ｄのカール量の除去を行う。押し付けロール３３の駆動ロール３２への押し込み量は適宜量で良いが、例えば押し付けロール３３の軸受け部４６の変位量が最大で２０ｍｍとなるような押し付け量とすることが好ましい。
【００２３】
駆動ロール３２と押し付けロール３３とのニップ部５０の入口側及び出口側には、搬送ガイド板５１，５２が配置されており、シート状ＰＳ版２３ｄをガイドする。この搬送ガイド板５１，５２のガイド面は４フッ化エチレン樹脂などの低摩擦素材が用いられる。また、ニップ部５０の入口及び出口には、透明合成樹脂製の保護カバー５３，５４が取り付けられている。
【００２４】
このオフライン湾曲矯正装置３０を用いて、シート状ＰＳ版２３ｄのカールを除去する場合には、ＰＳ版２３ｄのカール量に合わせて、押し付け量調節部３４のハンドル４９を個別に回して、その押し込み量を調節する。例えば、上に凸となるカールの場合には、カール量が大きいときに、押し込み量も大きくする。また、カール量が小さいときには押し込み量を小さくする。その後、駆動モータ４０を回転させて、搬送ガイド板５０，５１にＰＳ版２３ｄをセットし、駆動ロール３２と押し付けロール３３との間のニップ部５０にＰＳ版２３ｄの先端を挿入することで、ロール搬送を行いカールを除去する。このオフライン湾曲矯正装置３０を用いて湾曲が矯正され、湾曲性合格品とされたシート状ＰＳ版６０は積層装置２１に送られて集積された後に、図示しない包装装置で包装される。
【００２５】
なお、上記実施形態では、搬送用駆動ロール３２と押し付けロール３３とをそれぞれ１個ずつ設けて、オフライン湾曲矯正装置３０を構成したが、これらの矯正ロール対は複数個設けてもよい。
【００２６】
また、上記実施形態では、ＰＳ版加工設備１０にオンライン湾曲矯正装置としてのデカーラ１３を設けたが、このデカーラ１３が無い加工設備に本発明のオフライン湾曲矯正装置３０を用いてもよい。
【００２７】
上記実施形態では、カール検出部１８ｂによりオンラインでシート状ＰＳ版２３ｂのカールを検出し、湾曲性合格品か否かを自動判定するようにしたが、この他に、これに代えて、適宜にサンプリングしてオペレータによりカール量を測定してもよい。そして、サンプリングしたものが湾曲性不合格品と判定されたときに、この不合格品を含むロットまたはロットの一部を、オフライン湾曲矯正装置３０を用いてその湾曲を矯正する。
【００２８】
【実施例】
搬送用駆動ロール３２の外径を１８０ｍｍ、ロール周面の軸方向長さを１６００ｍｍ、ロール周面のゴム硬度をＪＩＳ２５°とし、シート状ＰＳ版２３ｄの搬送速度を２０ｍ／ｍｉｎとした。また、押し付けロール３３の外径を６０ｍｍ、ロール周面の軸方向長さを１６００ｍｍ、ロール周面のゴム硬度をＪＩＳ６５°とし、その押し付け量を−２０ｍｍ〜＋５ｍｍの範囲で設定可能にした。
【００２９】
表１に、オンライン湾曲矯正装置（デカーラ）を有しないＰＳ版の加工設備におけるシート状ＰＳ版（５８３ｍｍ×８１２ｍｍ、厚みｔ：０．２０ｍｍ：矯正前）の湾曲度と、本発明のオフライン湾曲矯正装置３０により矯正された後の湾曲度とを示す。なお、湾曲度は、平面台に置かれたＰＳ版の両端の跳ね上がり量を測定したものであり、その最大値であって、順方向は感光層塗布面が上、逆方向は感光性塗布面が下の状態を示している。表１からも明らかなように、本発明の矯正装置３０によって矯正されたシート状ＰＳ版６０の湾曲度はいずれも１．０ｍｍの範囲内に入っており、湾曲性合格品程度に湾曲が矯正されていることが判る。
【００３０】
【表１】
2005015218.tif 000003
【００３１】
【発明の効果】
本発明によれば、シート状ＰＳ版を搬送するシート搬送用駆動ロールと、このシート搬送用駆動ロールに押し付けられ、このシート搬送用駆動ロールとの間でシート状ＰＳ版を挟持する押し付けロールと、前記押し付けロールのシート搬送用駆動ロールへの押し付け量を調節する押し付け量調節部とを有するから、簡単な構成でＰＳ版のオフライン湾曲矯正装置を構成することができる。
【００３２】
特に、押し付けロールよりもシート搬送用駆動ロールの直径を大きくするとともに、その直径比率をシート搬送用駆動ロールを基準にして３０〜７０％とすることにより、確実にシート状ＰＳ版の湾曲を矯正することができる。
【００３３】
また、前記シート搬送用駆動ロールの表面ゴム硬度が、押し付けロールの表面ゴム硬度よりも低くされていることにより、湾曲矯正をより一層確実に行うことができる。特に、シート搬送用駆動ロールの表面ゴム硬度をＪＩＳ２０°〜３０°とし、前記押し付けロールの表面ゴム硬度をＪＩＳ６０〜７０°とすることにより、アルミウェブに感光層を塗布したＰＳ版の湾曲の矯正を確実に行うことができる。さらには、前記押し付け量調節部は、押し付けロールの両端を個別に移動させることにより、多様な形態の湾曲に対して対応することができる。
【図面の簡単な説明】
【図１】ＰＳ版加工設備の一例を示す概略図である。
【図２】本発明のオフライン湾曲矯正装置の一部を切り欠いて示す側面図である。
【図３】同オフライン湾曲矯正装置の正面図である。
【符号の説明】
１０  ＰＳ版加工設備
２３  ＰＳ版ロール
２３ｂ，２３ｃ，２３ｄ  シート状ＰＳ版
２４  デカールロール
２６  合紙ロール
２６ａ  合紙
２９  ストックヤード
３０  オフライン湾曲矯正装置
３２  搬送用駆動ロール
３３  押し付けロール
３４  押し付け量調節部
３５  駆動部
【図１】
2005015218.tif 000004
【図２】
2005015218.tif 000005
【図３】
2005015218.tif 000006